(57)【特許請求の範囲】
【請求項１】
ケース、プリント回路基板組立体（ＰＣＢＡ）及びアンテナを備え、
前記アンテナ及び前記ＰＣＢＡが、前記ケースの空洞内に配置されており、
前記ＰＣＢＡが前記ケースに沿って摺動可能に突出し、又は引っ込まれることができ、
前記アンテナが、前記ケースの内側面上に固定的に配置され、引っ込んだ前記ＰＣＢＡを収容する中空空間を形成しており、
前記アンテナ上に接触点が配置されており、
前記接触点は、前記ＰＣＢＡの給電点に電気的に接続されており、
前記アンテナが前記ケースの空洞を構成する内壁のうち、隣接する２つの面上にのみ配置されている共に引っ込んだ前記ＰＣＢＡを収容し、
前記アンテナの一側面は、前記ケースの前記空洞の内壁の側面上の上端部に密着して支持され、且つ該ケースの空洞の内壁の側面上の上端部に固定的に配置されており、
前記アンテナの上端部は、囲むように前記ケースの空洞の内壁の端面上に配置されており、
前記アンテナの前記上端部は、アーク形状を有し、且つ前記アンテナの前記一側面と共に中空空間を形成しており、
前記ＰＣＢＡが前記ケースに沿って引っ込んだときに、前記中空空間は、前記ＰＣＢＡを収容する、モバイル・ブロードバンド装置。
【請求項２】
前記アンテナの前記接触点は、前記ＰＣＢＡの前記給電点と摺動可能に弾性的に接続される、請求項１に記載のモバイル・ブロードバンド装置。
【請求項３】
前記ケースの上に制限クランプが配置されており、
前記ＰＣＢＡの上に位置決めクランプが配置されており、
前記ＰＣＢＡが前記ケース内に配置された後、前記ＰＣＢＡ上の前記位置決めクランプは、前記ケース上の前記制限クランプに対応する、請求項１又は２に記載のモバイル・ブロードバンド装置。
【請求項４】
前記アンテナは、可撓性アンテナ又は金属性アンテナである、請求項１〜３の何れか一項に記載のモバイル・ブロードバンド装置。
【請求項５】
前記アンテナの前記接触点は、金属性弾性体である、請求項１〜４の何れか一項に記載のモバイル・ブロードバンド装置。
【請求項６】
ケース、プリント回路基板組立体（ＰＣＢＡ）及びアンテナを備え、
前記アンテナ及び前記ＰＣＢＡが、前記ケースの空洞内に配置されており、
前記ＰＣＢＡは、前記ケースに摺動可能に接続されており、
インタフェース構成要素が前記ＰＣＢＡの端部で固定されており、
前記ケースの端部にインタフェース穴が開口されており、
前記インタフェース構成要素及び前記インタフェース穴が、前記モバイル・ブロードバ
ンド装置の同じ端に位置しており、
前記アンテナは、前記ケースの端部の上に固定的に配置され、
前記アンテナ及び前記インタフェース穴はそれぞれ、前記ケースの２つの対向する端部
に位置しており、
前記アンテナの上に接触点が配置されており、
前記ＰＣＢＡの上に給電点が配置されており、
前記アンテナの前記接触点は、前記ＰＣＢＡの前記給電点に電気的接続されており、
前記アンテナが前記ケースの空洞を構成する内壁のうち、隣接する２つの面上にのみ配置されている共に引っ込んだ前記ＰＣＢＡを収容し、
前記ケースの前記空洞は、前記ＰＣＢＡと前記ＰＣＢＡの上に配置された電気的構成要素を収容するように構成されており、
前記ケースの前記空洞の形状は、前記ＰＣＢＡの形状に適応しており、
前記ＰＣＢＡが前記ケースに沿って摺動するときに、前記インタフェース構成要素は、前記インタフェース穴から突出し、又は前記ケースの前記空洞内に引っ込まれ、
前記電気的構成要素は、前記インタフェース構成要素を有し、
前記アンテナの第１の部分は、前記ケースの前記空洞の内壁の側面に密着して付着されており、又は該ケースの前記空洞の前記内壁の側面上に固定的に配置されており、
アーク形状を有する前記アンテナの第２の部分は、囲むように前記ケースの前記空洞の前記内壁の端面上に配置されており、
前記第１の部分及び前記第２の部分は、中空空間を形成しており、
前記インタフェース構成要素が前記ケースの前記空洞に引っ込んだとき、前記中空空間は、前記ＰＣＢＡを収容する、モバイル・ブロードバンド装置。
【請求項７】
前記アンテナの前記第１の部分は、平坦な構造を有し、
前記アンテナの前記第２の部分は、ストリップ構造を有する、請求項６に記載のモバイル・ブロードバンド装置。
【請求項８】
前記アンテナの前記接触点は、前記ＰＣＢＡの前記給電点と摺動可能に弾性的に接続される、請求項６又は７に記載のモバイル・ブロードバンド装置。
【請求項９】
前記ケース上に制限クランプが配置されており、
前記ＰＣＢＡ上に位置決めクランプが配置されており、
前記ＰＣＢＡが前記ケースの前記空洞内に引っ込んだ後、前記ＰＣＢＡ上の前記位置決めクランプは、前記ケース上の前記制限クランプと協同して、前記ＰＣＢＡが前記制限クランプより制限される範囲において摺動することを可能にする、請求項６〜８の何れか一項に記載のモバイル・ブロードバンド装置。
【請求項１０】
前記インタフェース構成要素は、ＵＳＢインタフェースであり、
前記モバイル・ブロードバンド装置は、無線モデムである、請求項６〜９の何れか一項に記載のモバイル・ブロードバンド装置。
【請求項１１】
前記アンテナは、可撓性アンテナ又は金属性アンテナである、請求項６〜１０の何れか一項に記載のモバイル・ブロードバンド装置。
【請求項１２】
前記アンテナの前記接触点は、金属性弾性体である、請求項６〜１１の何れか一項に記載のモバイル・ブロードバンド装置。
【発明の詳細な説明】
【技術分野】
【０００１】
（関連出願に対する相互参照）
本出願は、「モバイル・ブロードバンド装置」という発明の名称で２００９年１０月２６日中国特許庁に出願された特許文献１の優先権を主張する。特許文献１は、参照によって、本願明細書に組み込まれる。
【０００２】
本発明は、通信技術分野に関し、特に、モバイル・ブロードバンド装置に関する。
【背景技術】
【０００３】
モバイル・ブロードバンド製品は、コンピュータに接続され、コンピューティング装置（コンピュータ、パーソナル携帯情報機器（personal digital assistant）及び様々な移動端末）がモバイル・ネットワーク・アクセスを実現することを可能とする。データ伝送が無線信号により実行されるので、モバイル・ブロードバンド製品は、一般に内蔵型アンテナを備えている。アンテナはそれぞれ、固定的且つ電気的にプリント回路基板組立体（ＰＣＢＡ）に接続され、アンテナの性能を確保するため、常にモバイル・ブロードバンド製品の内部空間の大部分を占める。
【０００４】
従来のモバイル・ブロードバンド製品のアンテナの一般的レイアウトが、図１に示されている。アンテナ２はそれぞれ、モバイル・ブロードバンド製品のケースの端部上に配置され、モバイル・ブロードバンド製品のケースのＰＣＢＡと平行して配置されて、アンテナ２がＰＣＢＡ１によって覆われず、アンテナの性能が保護される。アンテナの個々が空間のかなり大部分を占めるので、この構造を有するモバイル・ブロードバンド製品を小型化することができず、携帯性に影響を及ぼす。
【先行技術文献】
【特許文献】
【０００５】
【特許文献１】中国特許出願第２００９２０２４６２７６．２号明細書
【発明の概要】
【発明が解決しようとする課題】
【０００６】
本発明の実施形態は、アンテナの性能に影響を及ぼさずに小型化及び良い携帯性を有するモバイル・ブロードバンド装置を提供する。
【課題を解決するための手段】
【０００７】
本発明の一実施形態は、ケース、ＰＣＢＡ及びアンテナを含むモバイル・ブロードバンド装置を提供する。
【０００８】
アンテナ及びＰＣＢＡは、ケース内に配置されており、ＰＣＢＡは、ケースに沿って、摺動可能に突出することができ、又は引っ込むことができる。アンテナは、ケースの内側の上に固定的に配置されており、引っ込んだＰＣＢＡを収容する中空空間を形成する。アンテナ上に接触点が配置されており、その接触点は、ＰＣＢＡの給電点（feed point）に電気的に接続される。
【０００９】
本発明の実施形態は、ケース、ＰＣＢＡ及びアンテナを含むモバイル・ブロードバンド装置を、更に提供する。
【００１０】
アンテナ及びＰＣＢＡは両方とも、ケースの空洞内部に配置され、ＰＣＢＡは、ケースに摺動可能に接続されている。
【００１１】
インタフェース構成要素は、ＰＣＢＡの一端で固定されており、インタフェース穴は、ケースの端に開口されている。インタフェース構成要素及びインタフェース穴は、モバイル・ブロードバンド装置の同じ端に位置する。
【００１２】
アンテナは、ケースの一端上に固定的に配置され、アンテナ及びインタフェース穴は、ケースの２つの対向する端部に位置する。アンテナ上に接触点が配置されており、ＰＣＢＡ上に給電点が配置されている。アンテナの接触点がＰＣＢＡの給電点に電気的に接続されている。
【００１３】
ケースの空洞は、ＰＣＢＡとＰＣＢＡの上に配置された電気的構成要素とを収容するように構成される。ケースの空洞の形状は、ＰＣＢＡの形状に合っている。ＰＣＢＡがケースに沿って摺動するときに、インタフェース構成要素はインタフェース穴から突出することができ、ケースの空洞内に引き込まれることができる。電気的構成要素がインタフェース構成要素を含む。
【００１４】
本発明の実施形態に係る技術的な解決案から、本発明の実施形態において、アンテナは、ケースの内壁の上に配置され、引っ込んだＰＣＢＡを収容する中空空間を形成し、モバイル・ブロードバンド製品が不使用状態にあるときは、ケース内に引き込んだＰＣＢＡの一部がアンテナの中空空間内に配置され得ることが分かる。このように、アンテナの個々は、ケースの空間の一部を占有することなく、モバイル・ブロードバンド装置の体積が効果的に減らされる。ＰＣＢＡの一部は使用中の間にケースから突出し、ＰＣＢＡがアンテナの中空空間から突出する。このように、ケースのアンテナの性能は、使用中に影響を受けない。
【００１５】
本発明の実施形態、又は従来技術による技術的な解決案をより明らかに例示するために、以下において、実施形態又は従来技術を記載する必要がある添付の図面が紹介される。明らかに、以下において説明される添付図面は、単に本発明の若干の実施形態だけであり、当業者は、創造的な努力をすることなく、添付の図面に係る他の図面を更に得ることができる。
【図面の簡単な説明】
【００１６】
【図１】従来技術のモバイル・ブロードバンド製品の概略構造図である。
【図２】本発明の一実施形態に係るモバイル・ブロードバンド装置の概略構造図である。
【図３】本発明の一実施形態に係る不使用状態のモバイル・ブロードバンド装置の概略図である。
【図４】本発明の一実施形態に係るモバイル・ブロードバンド装置のアンテナの取付けに関する概略図である。
【図５】本発明の一実施形態に係るモバイル・ブロードバンド装置のＰＣＢＡ及びアンテナの接続に関する概略図である。
【発明を実施するための形態】
【００１７】
容易な理解のために、本発明の実施形態に係る技術的な解決案は、本発明の実施形態における添付図面と関連して明確に且つ完全に記載されている。明らかに、後述する実施形態は、本発明の実施形態の全てよりはむしろ単に一部だけを説明する。創造的な効果を生み出すことなく、当業者によって、本発明の実施形態に基づいて得られる他の全ての実施形態は、本発明の保護範囲に属する。
【００１８】
（第１の実施形態）
【００１９】
第１の実施形態は、コンピュータ製品に適用でき、モバイル・ブロードバンド接続を実現するモバイル・ブロードバンド装置を提供する。図２及び図３に示すように、モバイル・ブロードバンド装置は、ケース１、ＰＣＢＡ３及びアンテナ２を含む。
【００２０】
アンテナ２及びＰＣＢＡ３両方は、ケース１に配置される。ＰＣＢＡ３は、プリント回路基板（ＰＣＢ）と、ＰＣＢ上に配置された様々な電気的構成要素を含む。ＰＣＢＡ３上の様々な電気的構成要素は、モバイル・ブロードバンド接続を実現するハードウェア構造を形成するように接続されている。ＰＣＢＡ３は、ケース１に沿って、摺動可能に突出し、又は引っ込まれ得る。アンテナ２は、ケース１の内側面上に固定的に配置され、引っ込んだＰＣＢＡ３を収容する中空空間２０１を形成する。アンテナ２（図４を参照）上には、接触点２２３が配置されている。接触点２２３は、ＰＣＢＡ３の給電点３１（図５を参照）に電気的に接続されている。
【００２１】
前述のモバイル・ブロードバンド装置において、アンテナ２は、可撓性アンテナ又は金属性アンテナであることができる。具体的には、アンテナの側面はケースの内壁の上端部に密着して支持され、ケースの内壁の上端部上に固定的に配置される。アンテナの上端部は、囲むようにケースの上端部の上に配置され、中空空間を形成する。図４は、アンテナの構造の一例を示す。アンテナの一側面は、平坦な構造２２１を有する。アンテナの上端部は、ストリップ構造２２２を有する。平坦な構造２２１は、ケース１の上端部で内壁に密着して付着されて、ケース１の上端部で内壁上に配置される。平坦な構造２２１は、ストリップ構造２２２に電気的に接続されている。ストリップ構造２２２は、ケース１の上端部上に配置される。ストリップ構造２２２は、アーク形状を有して、中空空間２０１を形成する。図４は、アンテナの構造の実施形態である。アンテナの一側面は、ケースの内側形状に従って合わせられた形状を有することができ、平坦な構造２２１よりはむしろ、ケース内に固定されるようにケースの内壁に密着して支持され得る。同様に、アンテナの上端部は、アンテナの上端部が、ストリップ構造２２２よりはむしろ、中空空間を形成するように、ケース内部のアンテナの上端部を特定する内側部分に直交するか、又はほぼ直交する形状を有することができる。従って、本発明の実施形態によれば、アンテナの構造は、アンテナがケース内に固定的に配置される限り、様々な形状を有することができ、空間を個々に占有することなく、引っ込んだＰＣＢＡを収容する中空空間を形成する。
【００２２】
図５に示すように、アンテナ２の接触点２２３は、金属性弾性体でもよく、その金属性弾性体は、ＰＣＢＡ３の給電点３１と摺動可能に弾性的に接続されることができる。実際には、ケース上に制限クランプ（limiting clamp）が配置されることができる。ＰＣＢＡ上に位置決めクランプが配置されることもできる。ＰＣＢＡ上の位置決めクランプはケース上の制限クランプに対応する。このようにして、ＰＣＢＡが、摺動可能に突出し、又は引っ込んだとき、ケース上の制限クランプによって、ＰＣＢＡが特定の範囲において摺動し、その結果、ＰＣＢＡ３の給電点３１とアンテナ２の接触点２２３との電気的接続が維持される。
【００２３】
前述のモバイル・ブロードバンド装置において、アンテナは、ケースの内側面に密着して付着されて、ケースの内側面上に固定的に配置され、アンテナが中空空間を形成し、モバイル・ブロードバンド装置が使用されていないとき、ＰＣＢＡは、アンテナの中空空間に引っ込まれることができる。その結果、事実上、体積を減らして、モバイル・ブロードバンド装置の全長を短縮できる。モバイル・ブロードバンド装置が使用されるときに、ＰＣＢＡはケースから摺動可能に突出して、ケース内のアンテナにより形成された中空空間からＰＣＢＡが突出する。このとき、アンテナの接触点及びＰＣＢＡの給電点は、電気的に伝導可能な状態であり、使用中にアンテナの性能が影響を受けない。
【００２４】
（第２の実施形態）
【００２５】
この実施形態は、コンピュータ製品で適用されてモバイル・ブロードバンド接続を実現するモバイル・ブロードバンド装置を提供する。モバイル・ブロードバンド装置は、例えばＵＳＢデータカードのような無線モデムであってもよい。図２及び図３に示すように、モバイル・ブロードバンド装置は、ケース１、ＰＣＢＡ３及びアンテナ２を含む。
【００２６】
ケースは、立方形又は立方形と類似のストリップ形状を有することができる。ケースは、２つ以上のシェルを含むことができる。２つ以上のシェルは、各々に接続されて空洞を形成する。アンテナ２及びＰＣＢＡ３の両方は、ケース１の空洞内に配置される。ＰＣＢＡ３は、ケースに摺動可能に接続されている。アンテナ２は、ケース１の空洞の内壁上に取り付けられている。
【００２７】
ＰＣＢＡ３は、ＰＣＢと、例えばＵＳＢインタフェース４のようなＰＣＢ上に配置された様々な電気的構成要素と、電磁シールド５と、プロセッサと、を含む。ＰＣＢＡ３上の様々な電気的構成要素は、モバイル・ブロードバンド接続を実現するハードウェア構造を形成するように接続される。ＵＳＢインタフェース４は、ＰＣＢＡ３の一端上に配置される。ケースは、ＵＳＢインタフェース４に対応する位置に開口されたインタフェース穴を有する。インタフェース穴は、ケース１の一端に位置しており、ＵＳＢインタフェース４及びインタフェース穴は、モバイル・ブロードバンド装置の同じ端に位置する。ＰＣＢＡ３は、ケース１に沿って摺動可能である。ＰＣＢＡ３がケース１に沿って摺動するときに、ＵＳＢインタフェース４は、インタフェース穴から突出し、又はケース１の空洞内に引っ込まれることができる。
【００２８】
アンテナ２及びインタフェース穴はそれぞれ、ケース１の２つの対向する端部に配置される。アンテナ２の形状は、ケース１の空洞の内壁の形状に適合している。アンテナ２上に接触点２２３（図４を参照）が配置されており、接触点２２３が、ＰＣＢＡ３の給電点３１（図５を参照）に電気的に接続されている。
【００２９】
ＵＳＢインタフェース４がケース１の空洞内に引っ込んだとき、図３に示すように、ＰＣＢＡ３は、ケース１の空洞内に配置され、このとき、ＰＣＢＡ３の摺動方向に対して垂直な少なくとも一つの突出方向において、ケース１の空洞の内壁上のＰＣＢＡ３の突起は、ケース１の空洞の内壁上のアンテナ２の突起に部分的に又は完全に一致することに注目されたい。ＵＳＢインタフェース４がインタフェース穴から突出するときに、図２に示すように、ＰＣＢＡ３は、ケース１のアンテナ２が位置する一端の空洞内の空間２０１を部分的に空洞化する。このとき、前述の突出方向において、アンテナ２の突起は、ＰＣＢＡ３の突起と殆ど又は完全に一致しない。そして、インタフェース穴から突出しているＵＳＢインタフェース４は、コンピュータのＵＳＢインタフェース・スロットに挿入されることができ、モバイル・ブロードバンド装置は、ＵＳＢインタフェース４を介してコンピュータとデータ伝送を実行できる。
【００３０】
モバイル・ブロードバンド装置において、アンテナ２は、可撓性アンテナ又は金属性アンテナであることができる。アンテナ２は、少なくとも２つの部分を含むことができる。例えば、アンテナの第１の部分は、ケースの端で空洞の内壁の側面に密着して付着され、空洞の内壁の側面上に固定的に配置される。アンテナの第２の部分は、囲むようにケースの端部で空洞の内壁の端面上に配置される。アンテナの第２の部分は、中空空間を形成する。第１の部分及び第２の部分は、一緒に中空空間を形成する。図４には、アンテナの構造の一例を示す。アンテナ２の第１の部分は、平坦な構造２２１を有する。アンテナ２の第２の部分は、ストリップ構造２２２を備える。平坦な構造２２１は、ケース１の端部の内壁の側面に密着して付着されて、ケース１の端部の内壁の側面上に配置される。平坦な構造２２１は、ストリップ構造２２２に電気的に接続されている。ストリップ構造２２２は、ケース１の端部で空洞の内壁の端面上に配置される。ストリップ構造２２２は、アーク形状を有し、平坦な構造２２１と共に中空空間２０１を形成する。図４はアンテナの構造の一実施形態であることが分かる。アンテナの第１の部分は、ケースの内側形状に合わせられた形状を有することができ、平坦な構造２２１よりもむしろ、ケース内に固定されるように、ケースの内壁の側面に密着して付着されることができる。アンテナの第２の部分は、ケースの内側形状に合わせられた形状を有することができ、ストリップ構造２２２よりもむしろ、ケース内に固定されるようにケースの内壁の端面に密着して付着されることができる形状を有することができる。従って、本発明の実施形態によれば、アンテナがケース内に固定的に配置される限り、アンテナの構造は、様々な形状を有することができる。アンテナの形状は、ケースの空洞の内壁の形状に適応可能である。このとき個々に、アンテナは空間を占有さず、引っ込んだＰＣＢＡを収容する中空空間を形成する。
【００３１】
ケースの端部とは、立方形又はストリップ形状のケースの上面と、上面に隣接する側面の一部分及びその周辺とを指す。ケースの端部の内壁の側面は、ケースの端部の側面の一部の内壁を指し、ケースの端部の内壁の端面は、ケースの端部の上面の内壁を指す。
【００３２】
図５に示すように、アンテナ２の接触点２２３は金属性弾性体でもあっても良く、金属性弾性体は、ＰＣＢＡ３の給電点３１と摺動可能に弾性的に接続されている。実際には、ケースの上に制限クランプが配置される。ＰＣＢＡ上に位置決めクランプが配置される。ＰＣＢＡ上の位置決めクランプは、ケース上の制限クランプに対応する。このようにして、ＰＣＢＡが摺動可能に突出するか又は引っ込んだとき、ケース上の制限クランプは、ＰＣＢＡが特定の範囲において摺動して、ＰＣＢＡ３の給電点３１とアンテナ２の接触点２２３との電気な接続が維持される。
【００３３】
前述のモバイル・ブロードバンド装置において、アンテナは、ケースの内壁に密着して付着されて、ケースの内壁上に固定的に配置され、アンテナが中空空間を形成し、モバイル・ブロードバンド装置が使用されていないとき、ＰＣＢＡがアンテナの中空空間に引っ込まれることができる。その結果、体積を事実上減らすことができ、全てのモバイル・ブロードバンド装置の長さを短縮する。モバイル・ブロードバンド装置が使用状態において、あるときに、ＰＣＢＡの上に配置されたＵＳＢインタフェースは、ケースから摺動可能に突出することができ、ＰＣＢＡがケースのアンテナにより形成される中空空間から突出する。このとき、アンテナの接触点及びＰＣＢＡの給電点が電気的に伝導可能な状態となり、使用中にアンテナの性能が影響を受けない。
【００３４】
要約すると、本発明の実施形態によれば、アンテナは、ケースの内側面上に配置されて中空空間を形成し、モバイル・ブロードバンド装置が使用されないときに、ＰＣＢＡがアンテナの中空空間内に引っ込まれ、モバイル・ブロードバンド装置の全長が、約１０ｍｍだけ短縮する。その結果、バイル・ブロードバンド製品の体積が非常に減らされる共に、携帯性が大幅に改善される。
【００３５】
前述の説明は、本発明の単なる例示的な実施形態に過ぎず、本発明の保護範囲を制限することを目的としない。当業者によってなされるいかなる変更又は置換は、本発明の技術的な範囲内に属する。従って、本発明の保護範囲は、特許請求の範囲に属する。
【符号の説明】
【００３６】
１  ケース
２  アンテナ
３  ＰＣＢＡ
３１  給電点
２０１  中空空間
２２３  接触点
【図１】
0005495146.tif 000002
【図２】
0005495146.tif 000003
【図３】
0005495146.tif 000004
【図４】
0005495146.tif 000005
【図５】
0005495146.tif 000006